(57)【特許請求の範囲】
【請求項１】
連結金具を構成するクサビ挿通孔に連通すべく後端方向に向けて所要長のクサビ導入通路を形成せしめ、外方より該クサビ導入通路に沿って予め抜止め突起を一体形成せしめてなるクサビをクサビ挿通孔に挿入掛止せしめると共に、連結金具の後端部に所要の仮設足場部材を固着せしめることを特徴とする、仮設足場用連結金具におけるクサビの取付け方法。
【発明の詳細な説明】
【０００１】
【発明の属する技術分野】
この発明は、仮設足場用連結金具におけるクサビの取付け方法に関する。
【０００２】
【従来の技術】
従来より、建物や橋梁などの建設工事や補修工事を行なうさいに使用する仮設足場を構築せしめるさいにおいて、取付けフランジ付き支柱に水平つなぎ材など所要の仮設足場部材を連結せしめるさいには、クサビを遊動自在に掛止保持せしめた連結金具が用いられている。そして、かかる連結金具は、先部に取付けフランジ用嵌合口が形成されると共に、該嵌合口に直交すべくクサビ挿通孔が形成され、かつ、該クサビ挿通孔には下端部に抜止め突起を備えたクサビが遊動自在に掛止保持せしめられた構成よりなり、水平つなぎ材など所要の仮設足場部材に固着して使用されるものである（実公平５−４０１９３号公報等参照）。
ところで、かかる連結金具にクサビを遊動自在に掛止保持せしめるさいには、連結金具を所要の仮設足場部材に固着せしめたのち、クサビ挿通孔にクサビを挿通せしめると共に、クサビの挿通下端部にピンなどの抜止め突起を事後的に固着して形成するものである。
【０００３】
【発明が解決しようとする課題】
ところで、クサビの抜止め突起は連結金具の構造上、上述の如く、クサビをクサビ挿通孔に挿通せしめたのち、事後的にピンなどを固着して形成せざるを得ないものであり、ひいては、連結金具自体を仮設足場部材に固着せしめていることとも相まって、その固着作業が非常に面倒で手間がかかり、作業能率が悪いのみならず、抜止め突起自体の強度にも問題があり、場合によっては損傷して脱落する等の不都合を惹起せしめやすいものである。
【０００４】
この発明は、かかる従来例の問題点を解決し、予めクサビに抜止め突起を一体形成せしめた状態でもって極めて容易に、しかも、確実に能率よく取付けることが出来る、仮設足場用連結金具におけるクサビの取付け方法を提供しようとするものである。
【０００５】
【課題を解決するための手段】
即ち、この発明は、連結金具を構成するクサビ挿通孔に連通すべく後端方向に向けて所要長のクサビ導入通路を形成せしめ、外方より該クサビ導入通路に沿って予め抜止め突起を一体形成せしめてなるクサビをクサビ挿通孔に挿入掛止せしめると共に、連結金具の後端部に所要の仮設足場部材を固着せしめることを特徴とする、仮設足場用連結金具におけるクサビの取付け方法を要旨とするものである。
【０００６】
そして、この発明に係る仮設足場用連結金具におけるクサビの取付け方法は、予めクサビ自体に抜止め突起を一体形成せしめた状態でもって連結金具に遊動自在に取付けることが出来るため、事後的に形成せしめる従来例に比して、その取付け作業を極めて容易に、しかも、能率よく行なう事が出来るのみならず、抜止め突起をクサビに一体形成せしめることが出来るため、抜止め突起自体の強度をアップせしめることが出来るものであって、長期の使用に充分耐えることが出来るものである。
【０００７】
【発明の実施の形態】
以下に、この発明の実施の形態を図面に示す一実施例について説明する。
１は先部が連結されると共に後部が開放状とされた略截頭円錐筒状の金属製連結金具、２は該連結金具１の先部に水平状に形成された取付けフランジ用嵌合口、３は該嵌合口２に連通すべく直交状に形成された細長な略方形状のクサビ挿通孔で、該クサビ挿通孔３の上端孔幅は後記する抜止め突起７ａを掛止保持せしめるべく狭幅状に形成されると共に、同下端孔幅は抜止め突起７ａを自由に挿通せしめるべく広幅状に形成されている。４はクサビ挿通孔３より後端方向に向けて連通状に形成された所要長のクサビ導入通路であ。５は上記クサビ挿通孔３に挿通自在とされた頭６付きクサビ、７ａは該クサビ５の下端部に一体形成された両側一対の抜止め突起、８は水平つなぎ材９を構成する所要長の金属製パイプである。その他、１０は仮設足場を構成する金属パイプ製支柱、１１は該支柱１０に所定間隔をおいて嵌着された取付けフランジ、１２は該取付けフランジ１１の外周縁に沿って同芯状に形成された所要数の係合孔である。
【０００８】
そして、上述の如く構成された連結金具１にクサビ５を取付けるさいには、まず、クサビ５を外方よりクサビ導入通路４に沿ってクサビ挿通孔３に挿入せしめる。このさい、クサビ５に抜止め突起７ａを一体形成せしめているにも拘わらず、容易にクサビ挿通孔３に挿入せしめることが出来る。そして、クサビ５の挿入が完了すると、連結金具１の後端部に水平つなぎ材９を構成するパイプ８を嵌合せしめると共に溶接手段により固着せしめて取付けを完了する（図２参照）。このさい、抜止め突起７ａは、クサビ挿通孔３の上端孔縁に掛止されてその上方脱出が阻止されるも、クサビ挿通孔３に遊動自在に保持せしめられるものである（図３および図４参照）。
【０００９】
そして、上述の如く構成された実施例の使用時においては、クサビ５を上方に引張せしめつつ、連結金具１の嵌合口２を支柱１０の取付けフランジ１１に嵌合掛止せしめると共に、そのクサビ挿通孔３を係合孔１２に合致せしめ、上方よりクサビ挿通孔３を通して係合孔１２にクサビ５を打込むことにより、連結金具１の先端を支柱１０の外周面に強く圧接せしめて固定するものである（図５乃至図７参照）。
【００１０】
なお、上記実施例において、抜止め突起７ａはクサビ５下端の両側に一体形成するものとされているが、図８に示すように、クサビ５下端の一側のみに抜止め突起７ｂを一体形成せしめてもよいものである。また、連結金具１は水平つなぎ材９を構成するパイプ８に固着するものとされているが、他の仮設足場部材にも固着せしめて使用することが出来るものである。
【００１１】
【発明の効果】
この発明によれば以上の次第で、連結金具を構成するクサビ挿通孔に連通すべく後端方向に向けて所要長のクサビ導入通路を形成せしめ、外方より該クサビ導入通路に沿って予め抜止め突起を一体形成せしめてなるクサビをクサビ挿通孔に挿入掛止せしめると共に、連結金具の後端部に所要の仮設足場部材を固着せしめるものであるから、予めクサビ自体に抜止め突起を一体形成せしめた状態でもって連結金具に遊動自在に取付けることが出来るものであって、事後的に抜止め突起を形成せしめる従来例に比して、その取付け作業を極めて容易に、しかも、能率よく行なうことが出来るのみならず、クサビに抜止め突起を一体形成せしめることが出来るため、抜止め突起自体の強度をアップせしめることが出来るものであり、長期の使用に充分耐えることが出来るものである。
【図面の簡単な説明】
【図１】  この発明の一実施例を示す分解斜視図である。
【図２】  連結金具１にクサビ５を取付けた状態を示す斜視図である。
【図３】  抜止め突起７ａをクサビ挿通孔３の上端孔縁に掛止せしめた状態を示す断面図である。
【図４】  抜止め突起７ａをクサビ挿通孔３の下端孔縁に挿通自在とせしめた状態を示す断面図である。
【図５】  使用状態を示す斜視図である。
【図６】  使用状態を示す一部拡大縦断面図である。
【図７】  使用状態を示す一部拡大横断面図である。
【図８】  他の抜止め突起７ｂの実施例を示す一部拡大垂直断面図である。
【符号の説明】
１  連結金具
３  クサビ挿通孔
４  クサビ導入通路
５  クサビ
７ａ・７ｂ  抜止め突起
９  水平つなぎ材
【図１】
0004023756.tif 000002
【図２】
0004023756.tif 000003
【図３】
0004023756.tif 000004
【図４】
0004023756.tif 000005
【図５】
0004023756.tif 000006
【図６】
0004023756.tif 000007
【図７】
0004023756.tif 000008
【図８】
0004023756.tif 000009